(57)【要約】      （修正有）【課題】消費者の希望に合わせた容器改造企画。飲料水に関する最高の味のサービス。飲料水愛好家、少食家、野外で使い捨てコップが必要のない代用ペットボトル１段〜５段、１段〜６段の重ね付けの型がある。節約型の大型ペットボトルの容量によって残した飲料の炭酸が抜け、捨てるのが無駄に感じる。一度に飲む飲料水の量が多い。果汁ジュースは飲んだ後、口直しにミネラルウォーターが必要になる。ティータイムの時に、クッキーやパイ、果物などのセット用がない。【解決手段】大型の容量の炭酸をそのままで、新鮮を維持するために１段〜５段の容器になる企画。【選択図】図１
2016084172.tif 000002
【特許請求の範囲】
【請求項１】
基本図面説明
大型［図１］の中小型［図１−１］飲料水メチ
大型［図２］の中小型［図２−１］の商品イメージ
【請求項２】
重ね付けオリジナル容器請求
円型、原型、三角型
回した四角型、容器上部分の取っ手。
団子のようにボリューム型に横面の取っ手
請求▲１▼基本図面説明イメージから
大型中型重ね付け容器が大きくなれば、もっと小さくなるかもしれない。
部分的に大きくなることもあれば、小さくなることもある重ね付け容器用途大型も作ることができ、容器を上下に重ねることができる。請求項１の基本のイメージとは違うように、様々な大きさにミックスして長くも短くも重ねて使用できる。
容器を横面から取っ手をつけ長く延長することもできる。容器の分離も可能。
【請求項３】
容器サイズ別に上部ミックスされ使用可能
大型、中小型の図１と図２、図１−１と図２−１の全商品が順序関係なしにミックスされ長く配列され使用する
ことができる。
全商品順序なくミックスされ無限に長くすることができる。
全商品単一商品として長く配列させ使用することができる。
大型中小型、全商品単品で低く使用することもできる。
【請求項４】
飲料の蓋の位置
図１と図１−１の全体１８個の出口
図２から▲９▼上単部分、７個出口
図２−１から９番上単部分７個出口
内容物出口３２個出口、蓋の位置は上中心からでて、角は出口として使用する。
中心方向、出口として使用することができる。
大型図２と図２−１▲９▼下段に▲１▼〜▲７▼番全体、３４個出口
蓋専用の防水、蓋カバーを使用する。
商品内容にあわせて、カバーを二種類、蓋を使用する。
内容物にあわせ、蓋を変えることもできる。
【請求項５】
重ね付け容器連結方式
請求４項のワンタッチ円形出口型の大型、中型の３４個の連結部分である。
円形になっている部分から回してしめることができる。
そこが連結部分だ。
内容物に合わせ、しめる方式が違うとも言える。
【請求項６】
ペットボトル容器の性質
レトロパウチ、ビニール、カネコティンパーク
【請求項７】
お茶菓子の種類別品目
炭酸飲料、果実ジュース、お茶類、スポーツ飲料、乳製品、乳酸菌飲料、
健康食品飲料、インスタントラーメン、
スナック類、パイ、チョコレート、梅干し、ナッツ類、果汁ゼリー、チーズ、
海藻スナック、ドライ果物、焼き海苔、塩から、干物、ビーフジャーキー、
おかず、キムチ、穀物混合飲料
麺類つゆ、エキス類、穀類、コチュジャン味付け、果物のジャム、
シャンパン・ワイン、甘酒、マッコリ、各地域の特産物
【発明の詳細な説明】
【技術分野】
【０００１】ペットボトル飲料水
大型と中小型でなっている。
飲料水の容器は１段〜５段の高さ
間食容器は１段〜６段の高さ
商品の内容物は多様で容器、少量で別になっており、衛生的に子供と各家族
ＯＬさん好きな商品の技術である。
【背景技術】
【０００２】重ね式ペットボトル飲料容器のふたの位置は、上部中心の角から近い位置に出口があり、内容物が残らないようになっており、飲みやすいよう小型になっている。
【先行技術文献】
【特許文献】
【０００３】
【特許文献１】
【特許文献２】
【非特許文献】
【０００４】
【非特許文献１】  コーラ、炭酸飲料
【非特許文献２】  １００％果物ジュース
【発明の概要】
【発明が解決しようとする課題】一度に飲む飲料水の量が多い。
残った炭酸飲料水は味が落ちる。
果汁１００％ジュースは口直しにミネラルウォーターが欲しくなる。
ティータイムの時、お茶菓子セットが欲しくなる。
【課題を解決するための手段】少量の飲料水容器で子供や老人、少食家に、
残して捨てるもったいなさがなく、経済的だ。
少量の容器で、毎回新しい飲料水を飲むことができ、衛生的だ。
ジュースを飲む時に、ミネラルウォーターを同時に飲むことができる利点もある。
ペットボトルをリモデリングした飲料水容器は、バリエーションが豊富だ。
お茶菓子セッティングをすることもできる。
インスタントラーメンも作り、食べることができる。
大食家、少食家の希望に合わせることができる。
【発明の効果】１００％フルーツジュースを購入する際、ミネラルウォーターも一緒についてくる。
▲１▼ミネラルウォーターをうがい用として使用できる。
▲２▼ジュースを飲んだあと、口直しに水が必要
▲３▼水だけ先に飮む
▲４▼水だけ置いておいて飲む
▲５▼外で手を洗う時、使用できる。
ペットボトル５段ジュース容器
▲１▼麦茶▲２▼コーラ▲３▼果実ジュース▲４▼お茶▲５▼お菓子
６段の時、▲１▼ウーロン茶▲２▼インスタントラーメン▲３▼ＣＣレモン▲４▼水
▲５▼カップスープ▲６▼コーラ
【図面の簡単な説明】
【図１】飲料水コンビ  ▲１▼〜▲６▼大型ペットボトル内容水量が大型で、表面が表現されている。▲１▼〜▲６▼内容物は商品の交代、上下と可能になるよう設計されている。
【図１−１】▲１▼〜▲６▼中、小型ペットボトル飲料水コンビネーション計画は［図１］と同じだ。
【図２】▲１▼〜▲７▼大型ペットボトル内容量が表現されているが▲１▼〜▲７▼内容物は商品交代混合が上下と交代が可能になっている。本ペットボトル容器はお茶や、お菓子（お茶菓子コンビネーション兼用）に設計されている。飲料水容器一段の階に重ね付け用１７個容器入口が原型そのままに大きく設計されている。１７個容器入口の密閉は商品に合う専門専用の密閉されるよう設計されている。［図１］と［図２］大型容器内容物は商品交換、混合が可能な計画設計になっているのが特徴だ。
【図２−１】▲１▼〜▲７▼中、小型のペットボトル飲料水コンビネーション容器は［図２］とバリエーションが同じだ。
【発明を実施するための形態】
消費者が毎日使用する大型ペットボトル飲料水容器を重ね付け分離型として商品に新鮮な味を維持しようと考案した。
国民的大型ペットボトル容器は節約型の大型ペットボトル分離容器は飲んだあと保管した飲料水は炭酸だと気が抜けて味も落ち、捨てるともったいない。
そのため消費者のため考えた保管モデリングとして、多目的用途の５段６段型容器がミックスされ連結された数十段の長さで多様なメニューを探し、多様な間食としても解決できる計画として発明した。
【実施例】既存商品に対する実施例
一般の飲料水容器はコップが必要な量である。
発明したものはコップが必要ない量である。
▲１▼発明申請権容器は個人が一度で使いきれる量である。
購入したものを補填し使いまわせる。
▲２▼分離型容器の特徴上４種類の飲料水を同時に飲める計算である。
▲３▼大型ペットボトル分離型容器のモデリングをし、ジュース、お菓子、お茶、間食をどこでも楽しめるため衛生的に使用できる。
【産業上の利用可能性】新感覚分離型飲料水容器
飲料水１個を購入した際、一緒にもらえる商品として（色々な飲料水）中、少量の水１コップの量を２段容器として付けれるアイテムとしてサービスを伸ばす。
飲料水と間食のコンビネーションのセット
ジュース、お菓子、お茶、重ね付け分離型飲料水容器に１個で完成された
１人用途で便利だ。
重ね付け分離型ペットボトル大型ひとつで２段〜５段、２段〜６段以上でつけ、長く美味しく飲める節約的な容器としての特徴を持つ。
・炭酸が抜けて、捨てるもったいなさが無くなる。
・飲料水の味と香りを新鮮に美味しく新しく飲むことができる。
・飲料水１つの大型容器にいろいろな種類の飲料水をたくさん持てるため良い。
【符号の説明】［図１］と［図１−１］▲７▼番６個の蓋下単葉機１２個の蓋と同一な状態だ。
ペットボトル蓋が中心から出たら前から改造された蓋である。重ね付け小型容器が飲みやすく便利になり、使用上の便利な特徴である。
［図２］と［図２−１］▲９▼番７個の飲料水の蓋、下段の１７個のラウンド出口になっている。
▲８▼番    蓋専用接着用真空蓋カバー
▲１０▼番  分離型上下、装飾から回して接続する。
【図１】
2016084172.tif 000003
【図１−１】
2016084172.tif 000004
【図２】
2016084172.tif 000005
【図２−１】
2016084172.tif 000006